(57)【特許請求の範囲】
【請求項１】
発射位置から発射された発射球が上昇して通過する縦長な発射領域と、遊技盤の表面に形成され、前記発射領域を通過した発射球が到達してから流下する途中で遊技を行う遊技領域と、を備え、
前記遊技領域の側部寄りの前方に前記発射領域を配置して重層させ、前記発射領域の先端に、上昇するにつれて後方に位置する前記遊技盤の表面側に近づく方向に傾斜した前後傾斜面を有する傾斜流路を接続し、該傾斜流路の終端を前記遊技領域に接続させた遊技機であって、
少なくとも前記発射領域および前記傾斜流路のうち、当該発射領域および当該傾斜流路を挟んで前記遊技領域の左右方向の中央部分とは反対側に位置する一側部に、発射球を沿わせて前記遊技領域に向けて誘導する縦長バンド状の誘導部材を設け、
該誘導部材は、当該誘導部材のうち前記遊技盤の表面側に位置する縁を後端縁とするとともに、当該誘導部材を挟んで前記遊技盤の表面とは反対側に位置する縁を前端縁とし、発射球が上昇するにつれて前記遊技領域側に誘導されるように前記後端縁側よりも前記前端縁側が前記遊技領域の左右方向の中央側に位置する方向に傾斜した状態で取り付けられ、
前記誘導部材のうち前記発射領域内を上昇する発射球が当たり始める位置を当接位置とし、該当接位置を前記傾斜流路の前記前後傾斜面よりも下方の発射位置側に設定したことを特徴とする遊技機。
【請求項２】
前記誘導部材は、弾性を有し、
前記誘導部材には、当該誘導部材の下端を上下させて張り具合を調整することにより、当該誘導部材の弾力を調整可能な弾力調整部材を備えたことを特徴とする請求項１に記載の遊技機。
【請求項３】
前記遊技領域は、当該遊技領域の前方を平板状の透明部材で覆われ、
前記透明部材は、平板を前記遊技領域の前方に向かって凹ませた凹部を有し、該凹部によって前記発射領域及び傾斜流路を覆うように構成するとともに、前記凹部の側壁に沿わせて前記誘導部材を設け、
前記凹部の側壁のうち、前記誘導部材の前記当接位置と対向する部分を前記誘導部材から離間する方向に凹ませることにより、前記凹部の側壁と前記誘導部材の前記当接位置との間に空隙部を形成したことを特徴とする請求項１または２に記載の遊技機。
【発明の詳細な説明】
【技術分野】
【０００１】
本発明は、遊技球を発射装置から発射し、この発射球を発射領域から遊技領域へ案内するパチンコ遊技機等の遊技機に関する。
【背景技術】
【０００２】
従来の遊技機（例えば、パチンコ機）は、遊技盤における遊技領域の側方に、発射装置から発射された発射球を遊技領域に誘導する発射領域が同一平面上に並べて設けられていた。
また、遊技盤には、識別情報の変動表示を行う変動表示装置が設けられ、始動条件の成立により変動表示装置を変動表示して該変動表示の停止結果が特定態様となると、特別遊技状態を発生することにより遊技者の興趣を高めている。そして、近時は、変動表示装置が大型化しており、遊技領域として充分な面積を確保することが困難になりつつある。
そこで、遊技領域の面積を確保するために、特許文献１に開示された遊技機では、発射領域と遊技領域とを前後に重層させ、発射領域の先端に遊技領域側に傾斜する連絡通路を設けて発射領域を上昇する球を遊技領域に導いている。
【特許文献１】特開２００４−０６５７０２号公報
【発明の開示】
【発明が解決しようとする課題】
【０００３】
しかし、従来の遊技機においては、発射領域と連絡通路とを同一部材で一様に形成することが困難であり、別部材とする必要がある。そして、別部材とすると、両者の間に繋ぎ目ができてしまい、この繋ぎ目によって滑らかな誘導が阻害され、所謂ムラ飛び（一定の強さで遊技領域に球が到達しない現象）を生じ、遊技者の興趣を減殺することになる。
【０００４】
そこで本発明は、上記の事情に鑑みてなされたものであり、その目的は、発射領域と遊技領域とを前後に重層させて遊技領域の拡大化を図り、発射領域の先端に遊技領域側に傾斜する連絡通路を設けるようにしても、ムラ飛び現象が発生しにくい遊技機を提供することにある。
【課題を解決するための手段】
【０００５】
本発明は、上記目的を達成するために提案されたものであり、請求項１に記載のものは、発射位置から発射された発射球が上昇して通過する縦長な発射領域と、遊技盤の表面に形成され、前記発射領域を通過した発射球が到達してから流下する途中で遊技を行う遊技領域と、を備え、
前記遊技領域の側部寄りの前方に前記発射領域を配置して重層させ、前記発射領域の先端に、上昇するにつれて後方に位置する前記遊技盤の表面側に近づく方向に傾斜した前後傾斜面を有する傾斜流路を接続し、該傾斜流路の終端を前記遊技領域に接続させた遊技機であって、
少なくとも前記発射領域および前記傾斜流路のうち、当該発射領域および当該傾斜流路を挟んで前記遊技領域の左右方向の中央部分とは反対側に位置する一側部に、発射球を沿わせて前記遊技領域に向けて誘導する縦長バンド状の誘導部材を設け、
該誘導部材は、当該誘導部材のうち前記遊技盤の表面側に位置する縁を後端縁とするとともに、当該誘導部材を挟んで前記遊技盤の表面とは反対側に位置する縁を前端縁とし、発射球が上昇するにつれて前記遊技領域側に誘導されるように前記後端縁側よりも前記前端縁側が前記遊技領域の左右方向の中央側に位置する方向に傾斜した状態で取り付けられ、
前記誘導部材のうち前記発射領域内を上昇する発射球が当たり始める位置を当接位置とし、該当接位置を前記傾斜流路の前記前後傾斜面よりも下方の発射位置側に設定したことを特徴とする。
【０００６】
請求項２に記載のものは、前記誘導部材が弾性を有し、
前記誘導部材には、当該誘導部材の下端を上下させて張り具合を調整することにより、当該誘導部材の弾力を調整可能な弾力調整部材を備えたことを特徴とする請求項１に記載の遊技機である。
【０００７】
請求項３に記載のものは、前記遊技領域が、当該遊技領域の前方を平板状の透明部材で覆われ、
前記透明部材は、平板を前記遊技領域の前方に向かって凹ませた凹部を有し、該凹部によって前記発射領域及び傾斜流路を覆うように構成するとともに、前記凹部の側壁に沿わせて前記誘導部材を設け、
前記凹部の側壁のうち、前記誘導部材の前記当接位置と対向する部分を前記誘導部材から離間する方向に凹ませることにより、前記凹部の側壁と前記誘導部材の前記当接位置との間に空隙部を形成したことを特徴とする請求項１または２に記載の遊技機である。
【発明の効果】
【０００８】
請求項１に記載の発明は、発射位置から発射された発射球が上昇して通過する縦長な発射領域と、遊技盤の表面に形成され、発射領域を通過した発射球が到達してから流下する途中で遊技を行う遊技領域と、を備え、遊技領域の側部寄りの前方に発射領域を配置して重層させ、前記発射領域の先端に、上昇するにつれて後方に位置する遊技盤の表面側に近づく方向に傾斜した前後傾斜面を有する傾斜流路を接続し、該傾斜流路の終端を遊技領域に接続させて、前記発射領域および傾斜流路のうち、当該発射領域および当該傾斜流路を挟んで遊技領域の左右方向の中央部分とは反対側に位置する一側部に、発射球を沿わせて前記遊技領域に向けて誘導する縦長バンド状の誘導部材を設け、該誘導部材は、当該誘導部材のうち遊技盤の表面側に位置する縁を後端縁とするとともに、当該誘導部材を挟んで遊技盤の表面とは反対側に位置する縁を前端縁とし、発射球が上昇するにつれて遊技領域側に誘導されるように前記後端縁側よりも前記前端縁側が遊技領域の左右方向の中央側に位置する方向に傾斜した状態で取り付けられるので、発射球が誘導部材の傾斜により遊技領域側に誘導される。
また、誘導部材のうち発射領域内を上昇する発射球が当たり始める位置を当接位置とし、該当接位置を前記傾斜流路の前後傾斜面よりも下方の発射位置側に設定したので、発射球が傾斜流路の前後傾斜面に衝接するよりも前に誘導部材に当り、その後は誘導部材に誘導されながら上昇方向を変えて遊技領域内に飛入することになる。
したがって、発射球の所謂ムラ飛び現象の発生を抑制することができ、安定した飛距離と方向で発射操作できる。
【０００９】
請求項２に記載の発明によれば、誘導部材が弾性を有し、誘導部材には、当該誘導部材の下端を上下させて張り具合を調整することにより、当該誘導部材の弾力を調整可能な弾力調整部材を備えたので、発射球が誘導部材に当たって跳ね返る具合を調整して、より好適にムラ飛びを抑えることができる。
【００１０】
請求項３に記載の発明によれば、遊技領域が当該遊技領域の前方を平板状の透明部材で覆われ、透明部材は、平板を遊技領域の前方に凹ませた凹部を有し、該凹部によって発射領域及び傾斜流路を覆うように構成したので、透明部材の強度を凹部によって高めることができる。
また、凹部の側壁に沿わせて誘導部材を設け、凹部の側壁のうち、誘導部材の当接位置と対向する部分を誘導部材から離間する方向に凹ませることにより、凹部の側壁と誘導部材との間に空隙部を形成したので、凹部の側壁における誘導部材の当接位置と対向する部分が空部となる。したがって、側壁が直接に発射球の衝撃力を受けるのでなく、この凹部の上方または下方の壁面で衝撃力を分散して受けることができ、これにより側壁に伝わる衝撃を和らげることができる。また、両側の壁面同士が単に離れているのでなく、誘導部材との間に空隙部を形成するように凹んでいるので、透明部材に凹部を形成したことにより増した強度を損なうことなく、発射球の衝撃力を凹部全体で受けることができ、透明部材の耐久性が向上する。
【発明を実施するための最良の形態】
【００１１】
以下、代表的な遊技機であるパチンコ遊技機を例に挙げて本発明の実施の最良の形態を図面に基づき説明する。図１はパチンコ遊技機の斜視図、図２は透明部材保持枠の正面図、図３は図２中のＡ−Ａ断面図とＢ−Ｂ断面図、図４は透明部材ユニットの分解斜視図である。
【００１２】
パチンコ遊技機１は、外枠（機枠あるいは本体枠）２に前面枠（内枠）３を開閉可能に軸着し、この前面枠３のベースとなる略額縁状の前面枠本体４に矩形状の遊技盤５を収納可能とし、遊技盤５の表面には、区画部材（サイドケース）７を配置して略円形状の遊技領域８を区画形成し、該遊技領域８内に表示装置や入賞口等の役物（いずれも図示せず）を配設して流下してくる遊技球が入賞口等に入賞するかにより遊技を行えるように構成してある。また、前面枠３の前面側には、一側（図１中、右側）が軸着された透明部材保持枠９を開閉（回動）可能に設け、該透明部材保持枠９に透視可能な透明部材ユニット１０を収納し、透明部材ユニット１０の一側には、遊技球を遊技領域８内へ案内するための縦長な発射領域（発射案内路）１１を形成し、透明部材保持枠９を閉じると、遊技盤５が透明部材保持枠９により覆われるとともに、透明部材ユニット１０の透明部材１２と発射案内路（発射領域１１）が遊技領域８の前方（詳しくは遊技領域８の側部寄りの前方）に配置（重層）され、透明部材１２を通して発射領域１１の後方に重層された遊技領域８も含めてすべての遊技領域８を前方から視認できるように構成している。なお、発射領域１１の後方開口は、透明部材保持枠９を閉じると、区画部材７の前面７´により下半部分塞がれる。
【００１３】
さらに、透明部材保持枠９の下方には、一側（図１中、右側）が軸着された横長な貯留皿ユニット１４を開閉（回動）可能に備え、該貯留皿ユニット１４の側方（図１中、右側方）には、後述する発射装置１７を操作するための発射操作ユニット（発射操作ハンドル）１８を備えている。
【００１４】
透明部材保持枠９は、図２に示すように、大きな開口部を開設した合成樹脂製の枠体であり、大きな開口部内に透明部材ユニット１０を裏側から嵌装してある。透明部材ユニット１０は、図４及び図５に示すように、透明な合成樹脂板を略馬蹄形に成形するとともに一側に縦長な溝状の発射領域１１を一体成形した透明部材１２と、発射領域１１内の一側部（詳しくは、発射領域１１を挟んで遊技領域８の左右方向の中央部分とは反対側に位置する一側部）に縦方向に取り付けた縦長バンド状の誘導部材１３と、該誘導部材１３の裏側に設けた背当て部材１５とから概略構成されている。発射領域１１は、透明部材１２の裏面側から表側に凹ませた断面コ字状の溝であり、溝の深さ（透明部材１２の裏面から溝の底までの空間の寸法）は遊技球の直径よりも少し大きな寸法に設定され、また、左右幅は、下端が最も幅広であって、上昇するに従って次第に幅員が減少し、幅狭となった上部であって次第に円弧状に湾曲した部分（発射領域１１の先端）においては溝の底面に相当する面が前後傾斜面１６として形成され、上昇するにつれて遊技領域８側（言い換えると、遊技盤５の表面側）に近づく方向に傾斜しており、この部分が傾斜流路２０として機能し、その終端が遊技領域８に接続している。そして、本実施形態では発射領域１１の幅員を次第に減少させるために、外側に位置する溝内面（側壁の内面）はほぼ垂直に起立した状態で形成し、この溝内面とは反対側の溝内面、すなわち遊技領域８の中央に近い側の溝内面を、上昇するに従って反対側の溝内面に近づけることで幅員が次第に狭くなるように形成している。また、前記発射領域１１の上半部分と傾斜流路２０の一側部（外側の溝内面）に、発射球を沿わせて前記遊技領域８に向けて誘導するバンド状の誘導部材１３を設けてある。
【００１５】
誘導部材１３は、ステンレスバンド等の金属帯板材により作製されているので弾性を有しており、その上端と下端には円弧の外側にコ字状に屈曲した引っ掛け止着部１３ａ，１３ｂを形成し、図６及び図７に示すように、上端の引っ掛け止着部１３ａを傾斜流路２０の先方に形成したコ字状の嵌合溝部２１内に、下端の引っ掛け止着部１３ｂをレバー状に成形された弾力調整部材２２の嵌合溝部２３内に嵌合してカバー２２´を被せ、この弾力調整部材２２を、外側の溝内面の途中に形成した切欠部２４内の止着部２８に回動可能な状態で軸着した状態で発射領域１１の一側に装着されている。したがって、弾力調整部材２２の回動角度を調整する（詳しくは、弾力調整部材２２の回動角度を調整して誘導部材１３の下端を上下させる）と、誘導部材１３の張り具合を調整することができ、背後に配設した背当て部材１５への押圧を調整でき、これにより誘導部材１３は、弾力を調節した状態で発射領域１１の一側に装着される。なお、前記した弾力調整部材２２は、自由端側の孔２５内に挿通したピン（図示せず）を、切欠部２４側に開設された複数の止着調整孔２６のいずれに差し込んで止着するかによって誘導部材１３の張り具合を段階的に調整することができる構成を採っているが、誘導部材１３の弾力を調整することができればどのような構成でも良い。
【００１６】
また、このようにして円弧状に装着した誘導部材１３は、発射領域１１内を勢い良く上昇して発射球が円弧内面に当って、その後、当該発射球が円弧内面に沿って上昇するにつれて遊技領域８側に誘導されるように、図３（ｂ）に示すように、当該誘導部材１３の取付基端縁側（遊技盤５の表面側に位置する後端縁側）よりも先端縁側（誘導部材１３を挟んで遊技盤５の表面とは反対側に位置する前端縁側）が遊技領域８の中央側（詳しくは、左右方向の中央側）、すなわち、前記した発射領域１１と傾斜流路２０の他側側に位置する傾斜状態（誘導傾斜角度θ）で取り付ける。また、この誘導部材１３を設ける範囲は、発射領域１１の外側の溝内面の略垂直部分のほぼ半分から上の部分であり、図３（ａ）に示すように、後述する発射装置１７による発射動作によって発射された発射球が発射領域１１内を垂直方向に上昇して誘導部材１３に当たる（詳しくは、当たり始める）当接位置Ｐ１を、誘導傾斜角度θで遊技領域８側への誘導を行わなかった場合における前記傾斜流路２０の前後傾斜面１６の仮想当接点Ｐ０よりも下方、すなわち発射位置側に設定してある。したがって、本発明における発射球は、傾斜流路２０のＰ０で前後傾斜面１６に当たるよりも先に当接位置Ｐ１で誘導部材１３に当り、これにより発射球は誘導傾斜角度θの設定と誘導部材１３の弾力で跳ね返されて遊技領域８側に円滑に誘導されながら上昇する。この円滑な誘導が行われるため、発射装置１７により発射された発射球が遊技領域８内に飛入する位置が安定し、所謂ムラ飛び現象の発生を抑制することができる。さらに、誘導部材１３は、弾性を有し、且つその弾性力を調整可能としたので、発射球が接触した時の大きすぎる跳ね返りを抑制して過不足のない跳ね返りに設定することができ、これによりムラ飛び現象の発生を一層確実に抑制することができる。
【００１７】
さらに、図２乃至図５に示すように、誘導部材１３を沿わせて設けた溝内面（側壁の内面）のうち、発射球が接触する誘導部材１３の当接位置Ｐ１の外側部分であってその下方から上方に亘る範囲、換言すると、誘導部材１３の当接位置Ｐ１と対向する側壁の一部を外方（言い換えると、誘導部材１３から離間する方向）に凹ませることにより、誘導部材１３との間に空隙部２７を形成する。この様に、誘導部材１３の外側に空隙部２７を形成すると、凹部の側壁における誘導部材１３の当接位置Ｐ１と対向する部分が空部となるので、側壁が直接に発射球の衝撃力を受けるのでなく、この凹部の上方または下方の壁面で衝撃力を分散して受けることができる。したがって、側壁に伝わる衝撃を和らげることができる。また、両側の壁面同士が単に離れているのでなく、誘導部材１３との間に空隙部２７を形成するように凹んでいるので、透明部材１２に凹部を形成したことにより増した強度を損なうことなく、発射球の衝撃力を凹部全体で受けることができ、透明部材１２の耐久性が向上する。また、誘導部材１３の外側に円弧状の空隙部２７を形成しておくと、誘導部材１３が撓み易くなり、発射球を柔らかく受けることができる。 
【００１８】
前面枠本体４は、矩形状の開口部を上寄りに開設した合成樹脂製枠体であり、図１に示すように、開口部の周縁に額縁状の遊技盤収納部３０を備え、遊技盤収納部３０内に遊技盤５を着脱可能な状態で収納するように構成されている。また、遊技盤収納部３０の下方にボード部３１を備え、該ボード部３１の上端に遊技盤載置部を設け、該遊技盤載置部上に遊技盤５の下端を載置することで、遊技盤５の上下方向の位置を規制できるように構成されている。さらに、ボード部３１の一側寄り（図１中、左寄り）の上部には、前面枠本体４の裏側の球排出装置（図示せず）から供給される賞球あるいは貸球としての遊技球を貯留皿ユニット１４へ排出する球排出口３２を開設している。そして、ボード部３１の他側寄り（図１中、右寄り）、すなわち発射操作ユニット１８寄りの位置には、貯留皿ユニット１４の自由端部を係止可能なロック係止受部３３を設け、該ロック係止受部３３に貯留皿ユニット１４の自由端部を係止して貯留皿ユニット１４を前面枠本体４に対して閉状態に維持できるように構成されている。
【００１９】
貯留皿ユニット１４は、遊技球を貯留し、この貯留した遊技球を弾発して遊技盤５の遊技領域８８へ発射するためのユニットである。貯留皿ユニット１４は、図１に示すように、横長なベースパネル（開閉部材）３４を備え、該ベースパネル３４の一端部（図１中、右端部）には、ベースパネル３４を前面枠本体４に対して開閉可能な状態で軸着する軸着部（ヒンジ部）３５を配置し、他側部（図１中、左側部）には、ロック係止受部３３に係止可能なロック係止部３６を配置している。また、ベースパネル３４の前面側には、遊技球を貯留可能な皿部材と、該皿部材の前側部およびベースパネル３４の前面側全体を覆うカバー部材とを配置している（いずれも図示せず）。さらに、ベースパネル３４の後面側には、球排出口３２から排出された遊技球（賞球または貸し球）、あるいは発射装置１７から発射されたが遊技領域８まで到達せずに発射領域１１を逆流してきた遊技球（ファール球）を流下させる横長な球流下樋３７と、該球流下樋３７の下流端に接続され、球流下樋３７を流下する遊技球を貯留皿ユニット１４の下方へ抜き出す球抜機構３８と、皿部材に貯留された遊技球を遊技領域８へ向けて発射する発射装置１７とを配置している。
【００２０】
なお、球流下樋３７は、図８に示すように、その上流部（図８中、右側部）を発射装置１７の上方に配置し、この上流部の前後幅を下流部の前後幅よりも広く設定して略箱状の球受部４０を形成し、該球受部４０の後部に球受開口４１を開設して、球受開口４１と球排出口３２とが連通、すなわち球流下樋３７と球排出口３２とが連通するように構成されている。また、球受部４０の上部を開放して発射領域１１の下端に連通し、発射領域１１を逆流してきたファール球を球受部４０に受け入れるように構成されている。さらに、球受部４０の底部には、発射装置１７と発射領域１１とを連通（接続）する発射接続路４２を上下に貫通する状態で配置している。
【００２１】
そして、図１に示すように、ベースパネル３４の上側のうち自由端寄り、すなわち軸着部３５とは反対寄りの部分には、前後に貫通する流下開口を開設し、球流下樋３７をベースパネル３４の自由端側へ下り傾斜した状態、言い換えると球排出口３２の前方から流下開口へ向けて下り傾斜した状態で設定し、流下開口を介して皿部材の内側（詳しくは皿部材の内側の上部）と球流下樋３７の下流端とを連通している。また、貯留皿ユニット１４は、球排出口３２から排出された遊技球（賞球あるいは貸球）を球流下樋３７、流下開口、皿部材を経て発射装置１７へ供給するように構成されている。
【００２２】
次に、発射装置１７について説明する。
貯留皿ユニット１４の裏側に装着された発射装置１７は、図８及び図９に示すように、当該発射装置１７の基部となる発射ベース５２と、当該発射装置１７に供給された遊技球を往復回動動作により弾発する打球発射杵５３と、該打球発射杵５３を駆動するロータリーソレノイド５４等の回動駆動源と、打球発射杵５３の回動範囲を規制する回動規制部５５と、打球発射杵５３に接続されてその動きを球送り部材５６に伝えて連動させるリンク機構５７とを備えて構成され、後方に位置する前面枠本体４のボード部３１に対向する状態で配置されている。
【００２３】
発射ベース５２は、発射装置１７を貯留皿ユニット１４へ取り付けるための後方開放箱状の部材であり、その内部に打球発射杵５３および回動規制部５５を収容している。また、発射ベース５２の前側にはロータリーソレノイド５４を配置し、該ロータリーソレノイド５４の出力軸（発射回動軸）５８を当該発射ベース５２の中央部分よりも上寄りの位置を貫通して後方へ突出し、発射回動軸６０の先端（後端）に打球発射杵５３を軸着している。
【００２４】
また、発射ベース５２の後面側のうち発射回動軸６０の突出部分よりも上方には、遊技球を１個ずつ整列した状態で流下可能な球送り流路（整列路）５９を一側（図８中、右側）へ下り傾斜した姿勢で配置している。そして、球送り流路５９の上流端に、ベースパネル３４を前後に貫通する貫通流路を球送り流路５９に連通した状態で備え、該貫通流路の前端部を皿部材の傾斜下端に接続し、遊技球を貫通流路から球送り流路５９へ導入できるように構成されている。さらに、球送り流路５９の下流部（図８中、右側部）を下方へ屈曲し、この屈曲部に球送り部材５６を回動自在な状態で配置している。また、球送り流路５９の下流端の側方（図８中、右側方）には、球送り流路５９から供給された遊技球を１個保持可能な弾発球保持部６０を備え、該弾発球保持部６０に保持される遊技球の配置空間部を発射位置（球発射位置）としている。そして、該弾発球保持部６０の下部を開放して後述する打球発射杵５３の弾発部５３´を発射位置へ下方から進入可能とし、弾発球保持部６０および発射位置の上方には、発射領域１１の下端と発射位置とを上下に連通可能な発射接続路４２を備え、遊技球が発射位置から発射接続路４２を介して透明部材保持枠９の発射領域１１へ飛翔できるように構成されている。
【００２５】
打球発射杵５３は、図８及び図９に示すように、ロータリーソレノイド５４の発射回動軸６０に止着される軸着部分から縦長な杵部を発射位置側へ僅かに屈曲した状態で延設し、該杵部の先端部には、遊技球を弾発する弾発部５３´を発射位置側（右側）へ向けて突設している。そして、ロータリーソレノイド５４の駆動力により発射回動軸６０を揺動中心にして、弾発部５３´を発射位置へ向けて移動（回動）する第１動作と、自重により弾発部５３´を発射位置から離れる方向に戻り回動する第２動作とを行って揺動するように構成されている。さらに、打球発射杵５３のうち軸着部分（発射回動軸６０）を挟んで杵部と反対側には、回動規制部５５に衝突可能な発射ストッパー６１を杵部の延設方向とは異なる方向（杵部の延設方向から「へ」字状に屈曲した方向）へ向けて突設し、発射ストッパー６１および杵部を回動規制部５５に交互に係合（当接）することで、打球発射杵５３の回動範囲を規制するように構成されている。
【００２６】
回動規制部５５は、該打球発射杵５３と衝突して打球発射杵５３の回動動作を規制するための厚肉な円筒状の部材であり、衝撃を吸収し易い材料、例えばゴム材等の弾性体で形成されている。
【００２７】
この様な構成からなる発射装置１７から遊技球が発射されると、この発射球は、発射位置から発射接続路４２を介して透明部材保持枠９の発射領域１１へ飛翔し、この発射領域１１内を上昇する。そして、前記したように、傾斜流路２０の傾斜面１６のＰ０よりも下方に設定した位置Ｐ１で誘導部材１３に、大きな入射角度（すなわち、誘導部材１３と僅かな角度で交差する状態）で接触し、その後は誘導部材１３の内面に沿って上昇する。この上昇時において、誘導部材１３が遊技領域８側に倒れた傾斜状態で装着されているので、発射球はこの誘導部材１３の誘導傾斜角度θにより遊技領域８側に案内され、最終的には遊技領域８内に飛入する。したがって、発射領域１１の上端部分に形成された傾斜面１６に当る前に遊技領域８内に案内されることとなり、遊技領域８内に飛入する位置が発射球ごとに大きくずれることも抑制でき、円滑に飛入させることができる。このため、遊技者の発射勢の調整行為を反映させた遊技となり、ムラ飛び現象による遊技の興趣の低下を防止することができる。
【００２８】
また、図面に示す実施形態では、透明部材１２が、平板を前方に凹ませた凹部を有し、該凹部によって発射領域１１及び傾斜流路２０を覆うように構成したので、透明部材１２の強度を凹部によって高めることができる。
また、凹部の側壁に沿わせて誘導部材１３を設け、凹部の側壁は、誘導部材１３の当接位置Ｐ１と対向する部分を外方に凹ませることにより、誘導部材１３との間に空隙部２７を形成したので、凹部の側壁における誘導部材１３の当接位置Ｐ１と対向する部分が空部となる。したがって、側壁が直接に発射球の衝撃力を受けるのでなく、この凹部の上方または下方の壁面で衝撃力を分散して受けることができ、これにより側壁に伝わる衝撃を和らげることができる。また、両側の壁面同士（凹部の溝内面同士）が単に離れているのでなく、誘導部材１３との間に空隙部２７を形成するように凹んでいるので、透明部材１２に凹部を形成したことにより増した強度を損なうことなく、発射球の衝撃力を凹部全体で受けることができ、透明部材の耐久性が向上する。
【００２９】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００３０】
また、本発明に係る遊技機は、パチンコ遊技機に限らず、雀球式遊技機、アレンジボール式遊技機などにも適用可能である。
【図面の簡単な説明】
【００３１】
【図１】透明部材保持枠を開放した状態におけるパチンコ遊技機の斜視図である。
【図２】透明部材保持枠の正面図である。
【図３】（ａ）は透明部材保持枠のＡ−Ａ断面図、（ｂ）は同Ｂ−Ｂ断面図である。
【図４】透明部材ユニットの分解斜視図である。
【図５】透明部材ユニットの斜視図である。
【図６】誘導部材の上端部を止着する部分の拡大斜視図である。
【図７】誘導部材の下端部を止着する部分の拡大斜視図である。
【図８】発射装置とその周囲を斜視図である。
【図９】（ａ）は発射装置の裏側（打球発射杵の取付側）から見た斜視図、（ｂ）は発射装置の表側（ロータリーソレノイドの取付側）から見た斜視図である。
【符号の説明】
【００３２】
１  パチンコ遊技機
３  前面枠
５  遊技盤
７  区画部材
８  遊技領域
９  透明部材保持枠
１０  透明部材ユニット
１１  発射領域
１２  透明部材
１３  誘導部材
１４  貯留皿ユニット
１５  背当て部材
１６  傾斜面
１７  発射装置
２０  傾斜流路
２２  弾力調整部材
【図１】
0004454600.tif 000002
【図２】
0004454600.tif 000003
【図３】
0004454600.tif 000004
【図４】
0004454600.tif 000005
【図５】
0004454600.tif 000006
【図６】
0004454600.tif 000007
【図７】
0004454600.tif 000008
【図８】
0004454600.tif 000009
【図９】
0004454600.tif 000010